(57)【要約】【課題】  クロッチ域でシャーシが折り曲げられた着用物品を提供する。【解決手段】  おむつ１０は仮想横中心線に沿って、前後ウエスト域１１，１２が互いに接触し、かつそれら域の第１および第２端縁２２，３２が実質的に合致するように折り畳まれている。このように折り畳まれた状態において、ガスケットカフ７０の仮想横中心線よりも前ウエスト域１１側には、縦方向Ｙに延びる第１折曲線７５が形成されている。第１折曲線７５は、吸液構造体の芯材の両側縁に沿って形成され、両側縁の外側に位置するガスケットカフ７０が、第１折曲線７５に沿って外側シートの着衣側に折り返されている。漏れバリアカフ８０には、縦方向Ｙに延びる第２折曲線８５が形成されている。第２折曲線８５は、仮想横中心線よりも前ウエスト側１１に位置し、折り畳まれた遠位縁を展開しながら外側シートの着衣側へと折り返される。【選択図】図１
2011135930.tif 000002
【特許請求の範囲】
【請求項１】
縦方向および横方向と、身体側およびその反対側と、前後ウエスト域のいずれか一方である第１ウエスト域と、前記前後ウエスト域の他方である第２ウエスト域と、前記第１および第２ウエスト域間に位置するクロッチ域を含むシャーシとを含み、前記シャーシは、前記第１および第２ウエスト域の前記横方向に延びる第１および第２端縁と、前記縦方向に延びる両側縁とを有し、前記第１および第２ウエスト域の両側縁を互いに接合することで、前記第１および第２端縁でウエスト開口が形成され、前記クロッチ域に位置する前記両側縁で一対のレッグ開口が形成された着用物品において、
前記両側縁は、前記縦方向に延びる第１折曲線に沿って前記シャーシの前記反対側に折り返され、前記第１折曲線は、少なくとも前記クロッチ域に位置するとともに、前記第１端縁から前記第２端縁までの前記縦方向の長さ寸法を二等分する仮想横中心線よりも前記第１ウエスト域側に位置することを特徴とする前記着用物品。
【請求項２】
前記シャーシの前記身体側には、前記クロッチ域から前記第１および第２ウエスト域に延びる吸液構造体をさらに含み、前記吸液構造体は、吸液性の芯材と、前記芯材を覆う被覆シートとを有し、前記第１折曲線は、前記芯材の両側縁に沿って形成される請求項１記載の着用物品。
【請求項３】
前記第１ウエスト域には、前記横方向に伸長状態で収縮可能なウエスト弾性要素が取り付けられ、前記ウエスト弾性要素は、前記芯材の少なくとも前記両側縁に重なる請求項１または２記載の着用物品。
【請求項４】
前記吸液構造体の前記横方向外側には、一対のガスケットカフが形成され、前記ガスケットカフには、ガスケット弾性要素が前記縦方向に収縮可能に取り付けられる請求項１〜３のいずれかに記載の着用物品。
【請求項５】
前記ウエスト弾性要素と前記ガスケット弾性要素とは、前記第１ウエスト域で交差される請求項３または４記載の着用物品。
【請求項６】
前記吸液構造体は、着用者側面およびこれとは反対の底面を有し、前記着用者側面には、前記縦方向に延びるとともに、前記縦方向に収縮可能に弾性化された漏れバリアカフが取り付けられ、前記漏れバリアカフは、前記着用者側面に連続される近位縁と、前記着用者側面から離間可能な遠位縁とを有し、前記遠位縁は、前記縦方向に延びる第２折曲線に沿って前記シャーシの前記反対側に折り返される請求項１〜５のいずれかに記載の着用物品。
【発明の詳細な説明】
【技術分野】
【０００１】
この発明は、着用物品に関し、さらに詳しくは使い捨てのおむつ、排泄トレーニングパンツ、失禁ブリーフ等の着用物品に関する。
【背景技術】
【０００２】
従来、複数のおむつがパッケージ内に収容されるときに、両側部が縦中心線の方に折り畳まれる使い捨ておむつが知られている。例えば、特許文献１によれば、シャーシの前ウエスト域および後ウエスト域の両方が、折り畳まれて、おむつの横方向の長さ寸法を小さくすることができる。
【先行技術文献】
【特許文献】
【０００３】
【特許文献１】特表２００９−５２８８８８号公報（ＪＰ  ２００９−５２８８８８  Ａ）
【発明の概要】
【発明が解決しようとする課題】
【０００４】
上記のような特許文献１では、前後ウエスト域の両方が折り畳まれている構成を開示しているものであって、クロッチ域での折り畳みについては開示されていない。
【０００５】
この発明では、クロッチ域でシャーシが折り曲げられた着用物品を提供することを課題とする。
【課題を解決するための手段】
【０００６】
この発明は、縦方向および横方向と、身体側およびその反対側と、前後ウエスト域のいずれか一方である第１ウエスト域と、前記前後ウエスト域の他方である第２ウエスト域と、前記第１および第２ウエスト域間に位置するクロッチ域を含むシャーシとを含み、前記シャーシは、前記第１および第２ウエスト域の前記横方向に延びる第１および第２端縁と、前記縦方向に延びる両側縁とを有し、前記第１および第２ウエスト域の両側縁を互いに接合することで、前記第１および第２端縁でウエスト開口が形成され、前記クロッチ域に位置する前記両側縁で一対のレッグ開口が形成された着用物品の改良に関わる。
【０００７】
この発明は、前記着用物品において、前記両側縁は、前記縦方向に延びる第１折曲線に沿って前記シャーシの前記反対側に折り返され、前記第１折曲線は、少なくとも前記クロッチ域に位置するとともに、前記第１端縁から前記第２端縁までの前記縦方向の長さ寸法を二等分する仮想横中心線よりも前記第１ウエスト域側に位置することを特徴とする。すなわち、この発明の実施の態様においては、第１折曲線は、クロッチ域の第２ウエスト域側には、形成されないことを意味する。
【０００８】
この発明の実施態様のひとつとして、前記シャーシの前記身体側には、前記クロッチ域から前記第１および第２ウエスト域に延びる吸液構造体をさらに含み、前記吸液構造体は、吸液性の芯材と、前記芯材を覆う被覆シートとを有し、前記第１折曲線は、前記芯材の両側縁に沿って形成される。
【０００９】
他の実施態様のひとつとして、前記第１ウエスト域には、前記横方向に伸長状態で収縮可能なウエスト弾性要素が取り付けられ、前記ウエスト弾性要素は、前記芯材の少なくとも前記両側縁に重なる。
【００１０】
他の実施態様のひとつとして、前記吸液構造体の前記横方向外側には、一対のガスケットカフが形成され、前記ガスケットカフには、ガスケット弾性要素が前記縦方向に収縮可能に取り付けられる。
【００１１】
他の実施態様のひとつとして、前記ウエスト弾性要素と前記ガスケット弾性要素とは、前記第１ウエスト域で交差される。
【００１２】
他の実施態様のひとつとして、前記吸液構造体は、着用者側面およびこれとは反対の底面を有し、前記着用者側面には、前記縦方向に延びるとともに、前記縦方向に収縮可能に弾性化された漏れバリアカフが取り付けられ、前記漏れバリアカフは、前記着用者側面に連続される近位縁と、前記着用者側面から離間可能な遠位縁とを有し、前記遠位縁は、前記縦方向に延びる第２折曲線に沿って前記シャーシの前記反対側に折り返される。
【発明の効果】
【００１３】
この発明、特にそのひとつ以上の実施態様によれば、少なくともクロッチ域に位置するとともに、縦方向の長さ寸法を二等分する仮想横中心線よりも第１ウエスト域側に位置する第１折曲線に沿ってシャーシの両側縁が、身体側とは反対側に折り返される。したがって、着用時にレッグ開口に両側縁が延出し、その開口面積を狭くしてしまうことがなく、容易に脚を入れることができ、着用しやすい。また、第１折曲線がクロッチ域の第１ウエスト域側にのみ形成されているので、第１ウエスト域側を容易に見分けることができる。
【図面の簡単な説明】
【００１４】
【図１】おむつの平面図。
【図２】おむつ展開平面図。
【図３】図２のＩＩＩ−ＩＩＩ線断面図。
【図４】図２のＩＶ−ＩＶ線断面図。
【図５】図４の弾性要素が収縮した図。
【図６】吸液構造体の平面図。
【図７】図１のＶＩＩ−ＶＩＩ線断面図。
【図８】装置の概要図。
【発明を実施するための形態】
【００１５】
図１〜８は、この発明の一実施形態を示すものであり、着用物品として使い捨ておむつを例に挙げて説明する。
【００１６】
図１はおむつ１０のウエスト開口およびレッグ開口が環状に保たれた状態の平面図、図２はおむつ１０の身体側から見た展開平面図であって、おむつの各弾性体をその収縮力に抗して伸長させ、おむつ１０を平面に保った状態を示したもの、図３は図２のＩＩＩ−ＩＩＩ線断面図、図４は図２のＩＶ−ＩＶ線断面図、図５は図４と同様の図であって弾性要素の収縮力が作用した状態の図、図６は図２から吸液構造体のみを取り出したときの平面図、図７は図１のＶＩＩ−ＶＩＩ線断面図、図８は装置の概要図である。図２および６においては、説明のために一部を破断している。
【００１７】
おむつ１０は、縦方向Ｙおよび横方向Ｘと、身体側およびその反対側である着衣側と、前ウエスト域１１、後ウエスト域１２、前後ウエスト域１１，１２の間に位置するクロッチ域１３とを含む。おむつ１０は、横方向Ｘの長さ寸法を二等分する仮想縦中心線Ｐ−Ｐと、縦方向Ｙの長さ寸法を二等分する仮想横中心線Ｑ−Ｑとを含み、仮想縦中心線Ｐ−Ｐに対してほぼ対称に形成されている。
【００１８】
おむつ１０は、縦方向Ｙに互いに離間する前後ウエスト部材２０，３０と、これら前後ウエスト部材２０，３０をつなぐクロッチ部材である吸液構造体４０とを含む。前後ウエスト部材２０，３０は、縦方向Ｙに延びる前後両側縁２１，３１と、横方向Ｘに延びる第１および第２端縁２２，３２と、第１および第２端縁２２，３２とは反対側の第１および第２反対縁２３，３３とを有している。前後両側縁２１，３１を互いに接合することによってシーム部１４が形成されるとともに、第１端縁および第２端縁２２，３２によってウエスト開口が形成され、前後ウエスト部材２０，３０の反対縁２３，３３と吸液構造体４０の両側縁４０ｃとによってレッグ開口が形成されている。
【００１９】
後ウエスト部材３０は、前ウエスト部材２０よりも縦方向Ｙの長さ寸法が大きくされている。すなわち、後ウエスト部材３０には、前後ウエスト部材２０，３０をその側縁で互いに接合した場合に、前ウエスト部材２０に重なって着用者のウエストに位置するウエストフィット領域３０ａと、ウエストフィット領域３０ａからクロッチ域１３へと延出する延出領域３０ｂとが形成される。これらウエストフィット領域３０ａと延出領域３０ｂとは、仮想線３８によって画成されている。前ウエスト部材２０およびウエストフィット領域３０ａの縦方向Ｙの長さ寸法は約７０〜２４０ｍｍであり、この実施形態では約１０６ｍｍである。延出領域３０ｂの縦方向Ｙの長さ寸法は約３０〜９０ｍｍであり、この実施形態では約６０ｍｍである。延出領域３０ｂの横方向Ｘの長さ寸法は、ウエストフィット領域３０ａのそれとほぼ等しくされ、ウエストフィット領域３０ａおよび延出領域３０ｂは全体として矩形を形成している。
【００２０】
前ウエスト部材２０の第１端縁２２から第１反対縁２３までを前ウエスト域１１とし、後ウエスト部材３０の第２端縁３２から仮想線３８まで、すなわち、ウエストフィット領域３０ａを後ウエスト域１２とし、仮想線３８から第２反対縁３３を越えて第１反対縁２３までをクロッチ域１３としている。前後ウエスト部材２０，３０および吸液構造体４０の一部によって、この発明のシャーシを形成している。
【００２１】
前後ウエスト部材２０,３０は、身体側に位置する前後内面シート２４，３４と、着衣側に位置する前後外面シート２５,３５とを含み、これら内外面シートの間に、前後ウエスト部材２０，３０を横方向Ｘに弾性化するウエスト弾性要素が取り付けられている。具体的には、前ウエスト部材２０およびウエストフィット領域３０ａには、複数の弾性糸からなる前後ウエスト弾性要素２６，３６が、横方向Ｘに延びるとともに収縮可能に伸長状態で取り付けられている。これら前後ウエスト弾性要素２６，３６は、縦方向Ｙに離間して取り付けられ、そのピッチは約３〜１５ｍｍであり、この実施形態では約５ｍｍとされている。前後ウエスト弾性要素２６，３６は、第１および第２端縁２２，３２の近傍においては、他の領域よりも伸張応力が大きくなるようにして、ウエスト開口を着用者の身体に確実に密着させ、尿等の排泄物が漏れるのを防止している。前後ウエスト弾性要素２６，３６として、約４７０〜１２４０ｄｔｅｘの弾性糸を約３〜１２本用い、第１および第２端縁２２,３２の近傍では、約４７０ｄｔｅｘの弾性糸が５本、約２．７倍の伸長率で取り付けられ、それよりもクロッチ域１３側では、約４７０ｄｔｅｘの弾性糸が６本、約６２０ｄｔｅｘの弾性糸が９本、それぞれ約２．２倍の伸長率で取り付けられている。弾性糸の伸長率は、約１．８〜３．５倍の範囲に設定することができ、適宜変更可能である。
【００２２】
延出領域３０ｂには、複数の弾性糸からなる延出弾性要素３７が、横方向Ｘに延びるとともに収縮可能に伸長状態で取り付けられている。これら延出弾性要素３７は、縦方向Ｙに離間して取り付けられて、そのピッチは約１０〜３０ｍｍ、この実施形態では約２０ｍｍとされ、前後ウエスト弾性要素２６，３６のピッチよりも大きくされている。延出領域３０ｂは、大きな伸張応力によって身体に密着する必要がないからである。また、延出弾性要素３７の本数を少なくすることによって、弾性要素によって延出領域３０ｂの剛性が大きくなるのを防止することができる。延出弾性要素３７として、約４７０〜１２４０ｄｔｅｘの弾性糸を約１．５〜３．２倍の伸長率に設定して取り付けるとことができる。この実施形態では、延出弾性要素３７として約４７０ｄｔｅｘの弾性糸を３本用い、約２．２倍の伸長率で取り付けられている。
【００２３】
各弾性要素２６，３６，３７は、その周囲に直接ホットメルト接着剤等を塗布することによって、前内外面シート２４，２５または後内外面シート３４,３５に接合され、これら接着剤によって内外面シートも互いに接合される。したがって、確実に弾性要素の抜け止めをすることができ、かつ、余分な接着剤によってシートの剛性が大きくなるのを防止することができる。
【００２４】
吸液構造体４０には、吸液性の芯材４１と、芯材４１の吸収面を覆い身体側に位置する内側シート４２と、芯材４１の底面を覆う漏れ防止シート４３と、漏れ防止シート４３の底面を覆う外側シート４４とを含む。これら内側シート４２、外側シート４４によって、芯材４１の被覆シートを形成している。芯材４１としては、フラッフパルプや高吸収性ポリマー粒子等を用いることができる。
【００２５】
内側シート４２として、透液性の繊維不織布等を用いることができる。この内側シート４２は、例えば、単位面積当たりの質量が約１０〜３０ｇ／ｍ２のエアースルー繊維不織布、ポイントボンド繊維不織布、スパンボンド繊維不織布等を用いることができる。
漏れ防止シート４３として、透湿性かつ不透液性のプラスチックフィルムを用いることができ、このシート４３で少なくとも吸液構造体４０の底面全体を覆って、尿等の体液がおむつ１０外に漏れないようにしている。
外側シート４４は、透湿性かつ不透液性の繊維不織布等を用いることができる。この外側シート４４は、例えば、単位面積当たりの質量が約１０〜２５ｇ／ｍ２のスパンボンド・メルトブローン・スパンボンド（ＳＭＳ）繊維不織布、ポイントボンド繊維不織布、スパンボンド繊維不織布等を用いることができる。
【００２６】
吸液構造体４０は、その前後端縁４０ａ，４０ｂが前後ウエスト部材２０,３０に重なり、それら前後端縁４０ａ，４０ｂを覆うように、前後カバーシート５０,６０が積層されている（図２および図３参照）。前後カバーシート５０，６０は、前後ウエスト部材２０，３０の一方の側縁２１，３１から他方の側縁２１，３１へと横方向Ｘに延び、吸液構造体４０の前後端縁４０ａ，４０ｂの全域を覆うことができる。このように前後端縁４０ａ，４０ｂを前後カバーシート５０,６０で覆うことによって、芯材４１の形成材料がこぼれ出ないようにするとともに、前後端縁４０ａ，４０ｂが着用者の肌に接触することによる肌トラブルを防止している。
【００２７】
吸液構造体４０の芯材４１は、前ウエスト域１１側に位置する前方部４５と、後ウエスト域１２側に位置する後方部４６と、これら前後方部４５，４６の間に位置する中間部４７とを有している。中間部４７の横方向Ｘの長さ寸法は、前後方部４５，４６のそれよりも小さくされ、芯材４１全体として、中間部４７においてくびれている。前後方部４５，４６の横方向Ｘの長さ寸法は約１２０ｍｍとされ、中間部４７のそれは約８０ｍｍとされている。また、前方部４５の縦方向Ｙの長さ寸法は約１１７ｍｍ、後方部４６のそれは約１０２ｍｍ、中間部４７のそれは約１１６ｍｍとされている。このような芯材４１は、縦方向Ｙの長さ寸法を二等分する仮想横中心線Ｒ−Ｒを有している。
【００２８】
図２に示したように、芯材４１の仮想横中心線Ｒ−Ｒは、おむつの仮想横中心線Ｑ−Ｑよりも前ウエスト域１１側に位置している。したがって、仮想横中心線Ｑ−Ｑの縦方向Ｙを基準として芯材４１の前後域を比較すると、より前ウエスト域１１側に芯材４１の幅狭中間部４７が偏倚することとなる。
【００２９】
吸液構造体４０の内側シート４２、漏れ防止シート４３および外側シート４４は、芯材４１の縦方向Ｙの長さ寸法よりも大きくされている。このような吸液構造体４０の前後端縁４０ａ，４０ｂ側には芯材４１が存在しない、すなわち内側シート４２、漏れ防止シート４３および外側シート４４のみで形成された前後端フラップ４８，４９が形成される。これら前後端フラップ４８，４９において、内側シート４２と漏れ防止シート４３と外側シート４４とは、ホットメルト接着剤等の接着手段によってそれぞれ互いに直接的に接合されている。ただし、間接的に接合されていることを排除するものではない。
【００３０】
同様に、横方向Ｘにおいても、内側シート４２、漏れ防止シート４３および外側シート４４が芯材４１の外側縁に延出し、これらシートが、ホットメルト接着剤等の接着手段によって互いに直接的に接合されている。ただし、間接的に接合されていることを排除するものではない。吸液構造体４０の横方向Ｘ外側では、外側シート４４によって、ガスケットカフ７０および漏れバリアカフ８０が形成されている。ガスケットカフ７０は、芯材４１の両側縁から横方向Ｘ外側に延出した外側シート４４が、折り畳まれることによって形成されている。ガスケットカフ７０は、芯材４１の前後方部４５，４６の横方向Ｘ外側では、その横方向Ｘの長さ寸法が約３５ｍｍ、中間部４７の横方向Ｘ外側では約７５ｍｍとされている。
【００３１】
ガスケットカフ７０を形成する外側シート４４の間には、縦方向Ｙに延びる複数のガスケット弾性要素７１が伸長状態で収縮可能に取り付けられて、ガスケットカフ７０が縦方向Ｙに弾性化されている。ガスケット弾性要素７１として、約４７０〜１２４０ｄｔｅｘの弾性糸を約２．３〜３．０倍の伸長率に設定して取り付けることができる。この実施形態において、ガスケット弾性要素７１として約６２０ｄｔｅｘの弾性糸を３本用いることができ、伸長率を２．８倍としている。ガスケットカフ７０では、外側シート４４、漏れ防止シート４３、ガスケット弾性要素７１が、接着剤等の接合手段を介して互いに接合されている。ガスケット弾性要素７１は、その一端７１ａが前ウエスト弾性要素２６の一部と重なり、他端７１ｂが延出弾性要素３７の一部と重なっている（図２参照）。
【００３２】
図４，５に示したように、漏れバリアカフ８０は、横方向Ｙ内側に位置し縦方向Ｙに延びる近位縁８２と、横方向Ｘ外側に位置し縦方向Ｙに延びる遠位縁８３とを含み、ガスケットカフ７０からさらに横方向Ｘ内側に延びる外側シート４４が折り畳まれることによって形成され、吸液構造体４０上に位置している。このように折り畳むことによって、遠位縁８３は、芯材４１の両側縁４１ｃ近傍に位置し、近位縁８２は、芯材４１の身体側面上に位置する。漏れバリアカフ８０の折り畳みが解除された近位縁８２から遠位縁８３までの長さ寸法は、約２５〜６０ｍｍ、この実施の形態では約４５ｍｍとされ、ガスケットカフ７０の横方向Ｘの長さ寸法よりも大きくされている。ただし、漏れバリアカフ８０の折り畳み状態では、ガスケットカフ７０の横方向Ｘの長さ寸法よりも小さくなる（図６参照）。
【００３３】
遠位縁８３には、縦方向Ｙに延びる複数のバリア弾性要素８１が伸長状態で収縮可能に取り付けられ、漏れバリアカフ８０が縦方向Ｙに弾性化されている。このように弾性化されることによって、遠位縁８３は、図５に示したように、おむつ１０の着用時において、内側シート４２から起立するように離間して、漏れバリアカフ８０を形成する。バリア弾性要素８１として、約４７０〜１２４０ｄｔｅｘの弾性糸を約２．３〜３．０倍の伸長率に設定して取り付けることができる。この実施形態では、バリア弾性要素８１として約６２０ｄｔｅｘの弾性糸を２本用いることができ、伸長率を２．８倍としている。
【００３４】
上記のような構成において、おむつ１０は仮想横中心線Ｑ−Ｑに沿って、前後ウエスト域１１，１２が互いに接触し、かつそれら域の第１および第２端縁２２，３２が実質的に合致するように折り畳まれている（図１および図７参照）。このように折り畳まれた状態において、ガスケットカフ７０の仮想横中心線Ｑ−Ｑよりも前ウエスト域１１側には、縦方向Ｙに延びる第１折曲線７５が形成されている。第１折曲線７５は、芯材４１の両側縁４１ｃに沿って形成され、両側縁４１ｃの外側に位置するガスケットカフ７０が、第１折曲線７５に沿って外側シート４４の着衣側に折り返されている。
【００３５】
ガスケットカフ７０の両側縁にはガスケット弾性要素７１が取り付けられ、縦方向Ｙに弾性化されているから、ガスケットカフ７０が一度着衣側に向かって折り返されると、折り返された位置でガスケット弾性要素７１が収縮して、その位置を保持し易く、折返しが解除され難い。
【００３６】
漏れバリアカフ８０には、縦方向Ｙに延びる第２折曲線８５が形成されている。第２折曲線８５は、仮想横中心線Ｑ−Ｑよりも前ウエスト側１１に位置し、折り畳まれた遠位縁８３を展開しながら外側シート４４の着衣側へと折り返される。
【００３７】
第１および第２折曲線７５，８５は、少なくともクロッチ域１３において縦方向Ｙに延びているが、この実施形態では、前ウエスト域１１にも延出している。したがって、ガスケットカフ７０の両側縁および、漏れバリアカフ８０の遠位縁８３は、前ウエスト域１１においても、芯材４１の両側縁４１ｃに沿って外側シート４４の着衣側に折り返されている。
【００３８】
前ウエスト域１１においては、前ウエスト部材２０と吸液構造体４０との重なり面積が、後ウエスト域１２よりも大きくされている（図２参照）。また、前ウエスト部材２０には、前ウエスト弾性要素２６が取り付けられ、少なくとも芯材４１の両側縁４１ｃに重なっている。したがって、芯材４１の両側縁４１ｃでは、前ウエスト部材２０が横方向Ｘ内側へと押し付けられる。このように押し付けられることによって、芯材４１の両側縁４１ｃでは、前ウエスト域１１にも第１折曲線７５がクロッチ域１３から連続して形成される。また、前ウエスト弾性要素２６の収縮力によって、ガスケット弾性要素７１が横方向Ｘ内側に押し付けられるので、第１折曲線７５が形成されやすくなるとともに、折曲がった形状を維持しやすい。
【００３９】
上記のように、クロッチ域１３において、ガスケットカフ７０および漏れバリアカフ８０が着衣側に折り返されているので、ガスケットカフ７０および漏れバリアカフ８０がレッグ開口を塞ぐように延びるのを防止することができる。レッグ開口がこれらカフによって、その開口面積が小さくなるように塞がれてしまうと、着用時にレッグ開口を確認し難くなるが、この発明の実施形態によれば、レッグ開口を容易に確認することができ、脚の挿入位置を目視し易くなる。特に、漏れバリアカフ８０は、その横方向Ｘの長さ寸法が大きくされているから、折り畳み状態が展開された場合には、レッグ開口に大きく延出する可能性があるが、漏れバリアカフ８０を第２折曲線８５で折り曲げて、これを着衣側で維持することができる。
【００４０】
また、第１および第２折曲線７５，８５は、クロッチ域１３の前ウエスト域１１側に形成されているので、ガスケットカフ７０および漏れバリアカフ８０が折れ曲がっている方が、着用時に腹側になる方である前ウエスト域１１側であることを容易に認識することができる。
【００４１】
上記のようなおむつ１０の着用時には、前後ウエスト弾性要素２６,３６が伸張されるとともに、ガスケット弾性要素７１およびバリア弾性要素８１も伸張され、第１および第２折曲線７５，８５は、ほとんど消失する。すなわち、前後ウエスト弾性要素２６，３６が伸張されることにより、前後ウエスト域１１，１２に位置する第１および第２折曲線７５，８５は、横方向Ｘに延ばされて、ほとんどなくなり、前後ウエスト域１１，１２の全体が着用者に密着する。また、前後ウエスト弾性要素２６，３６の伸張によって、ガスケットカフ７０および漏れバリアカフ８０も横方向Ｘ外側に引っ張られ、これらに位置する第１および第２折曲線７５，８５も延ばされる。さらに、ガスケットカフ７０および漏れバリアカフ８０が横方向Ｘ外側に引っ張られながら、ガスケット弾性要素７１およびバリア弾性要素８１が収縮するので、ガスケットカフ７０および漏れバリアカフ８０は、着用者の大腿部および鼠蹊部に密着し、レッグ開口からの尿等の漏れを防止することができる（図５参照）。
【００４２】
第１および第２折曲線７５，８５は、例えば図８のようにして形成することができる。図８は、シーム部１４が形成され、仮想横中心線Ｑ−Ｑに沿って折り畳まれた状態のおむつ１０に装置９０を用いて折曲線を形成する場合を示した説明図である。装置９０には、図示しない搬送手段によって上記のように折り畳まれたおむつ１０がそのクロッチ域１３を図面上方に、前後ウエスト域１１，１２を下方にして、起立した状態で、サクションベルト９１に搬送される。サクションベルト９１には、複数の開口９２が形成され、サクション機構９３によってその内側に向かって吸引することによって、おむつ１０をサクションベルト９１表面に付着させ、起立した状態を保持して矢印方向Ａへと搬送することができる。
【００４３】
矢印方向Ａと直交する方向には、二本の送りベルト９４で形成された搬送通路９５が形成されている。搬送通路９５では、送りベルト９４によって、サクションベルト９１側から、これに離間する矢印方向Ｂへとおむつ１０が搬送される。送りベルト９４の離間距離Ｌは、約１２５ｍｍとされ、おむつ１０の横方向Ｘの長さ寸法よりも小さくなるようにされている。
【００４４】
サクションベルト９１には、矢印方向Ｂに沿って移動可能であって、おむつ１０を搬送通路９５へと押し付けるプッシャ９６が取り付けられている。プッシャ９６は図面上方に位置し、おむつ１０のクロッチ域１３を押し付ける第１プッシャ９７と、図面下方に位置し、おむつ１０の前後ウエスト域１１，１２を押し付ける第２プッシャ９８とを含む。これら第１および第２プッシャ９７，９８は、上下方向において離間されており、第１プッシャ９７がサクションベルト９１の上端９１ａを越えておむつ１０のクロッチ域１３を搬送通路９５側へと押し付け、第２プッシャ９８がサクションベルト９１の下端９１ｂを越えておむつ１０の前後ウエスト域１１，１２を搬送通路９５側へと押し付ける。
【００４５】
第１および第２プッシャ９７，９８は、矢印方向Ａに沿う長さ寸法Ｍが約１０８ｍｍとされており、送りベルト９４間に移動可能とされている。第１および第２プッシャ９７，９８の寸法Ｍは、おむつ１０の芯材４１の前後方部４６，４７の横方向Ｘの長さ寸法よりも小さくされている。また、第１および第２プッシャ９７，９８の上下方向の離間距離は約１００ｍｍとされ、サクションベルト９１に接触することなく、矢印方向Ｂに移動可能とされている。
【００４６】
おむつ１０は、プッシャ９６側に、前ウエスト域１１が対向するようにして搬送される。プッシャ９６で、押し付けられたおむつ１０は、芯材４１が矢印方向Ｂへと強く押し付けられて、サクションベルト９１から離間されるとともに、プッシャ９６が直接当接しないおむつ１０の両側縁が、プッシャ９６を巻き込むようにして折り畳まれる。送りベルト９４の離間寸法Ｌが、おむつ１０の横方向の長さ寸法よりも小さくされているので、おむつ１０の両側縁は、より一層、プッシャ９６を巻き込むようにして前ウエスト域１１の前外面シート２５に重なるように折り畳まれ易い。
【００４７】
おむつ１０の芯材４１の横方向外側には、芯材４１が存在しない部分があり、この部分では、剛性差によって芯材４１の両側縁に沿って、ガスケットカフ７０および漏れバリアカフ８０が折れ曲がり易くなる。このように折れ曲がることによって、ガスケットカフ７０には、縦方向Ｙに延びる第１折曲線７５が形成され、漏れバリアカフ８０には第２折曲線８５が形成される。
【００４８】
第１および第２折曲線７５，８５は、プッシャ９６が当接された部分のみならず、その延長線においても形成される。プッシャ９６によって押し付けられた芯材４１の両側縁４１ｃにおいて、前ウエスト部材２０の前内外面シート２４，２５が折れ曲がるからである。
【００４９】
搬送通路９５には、ある一定の枚数のおむつ１０が重ねられるとともに、重ねられたおむつ１０がプッシャ９６によって押圧される。すなわち、おむつ１０は、第１および第２折曲線７５，８５で折り曲げられた状態で押圧されるから、第１および第２折曲線７５，８５に沿って折癖がつき、この折曲状態を維持し易くすることができる。
【００５０】
第１および第２折曲線７５，８５を形成する方法は、上記装置によるものに限定するものではなく、他の種々の方法を採用することができる。また、前後ウエスト部材２０，３０および吸液構造体４０をそれぞれ別体に形成し、前二者を後者で連結する、いわゆる３ピース構造のおむつを例に説明しているが、これに限ったものではなく、前後ウエスト域１１，１２およびクロッチ域１３が連続して構成されているようなおむつであってもよい。
【００５１】
前後ウエスト弾性要素２６，３６は、一方の側縁２１，３１から他方の側縁２１，３１にまで連続して延びる構成としているが、例えば芯材４１と重なる部分では切断されることによってその収縮力が作用しないようにしているものであってもよい。芯材４１に弾性要素の収縮力を作用させないようにするためには、接着手段で固定する等、他の手段を使用することもできる。ただし、折曲線を形成する上では、少なくとも芯材４１の両側縁４１ｃに前ウエスト弾性要素２６が重なっていることが好ましい。
【００５２】
本発明の明細書および特許請求の範囲において、用語「第１」および「第２」は、同称の要素、位置等を単に区別するために用いられている。さらに、本発明の明細書および特許請求の範囲において、用語「第１ウエスト域」は、前後ウエスト域の一方を意味し、「第２ウエスト域」はその他方を意味する。
【符号の説明】
【００５３】
１０    おむつ（着用物品）
１１    前ウエスト域（第１または第２ウエスト域）
１２    後ウエスト域（第１または第２ウエスト域）
１３    クロッチ域
２０    前ウエスト部材
２１    両側縁
２２    第１端縁
２６    前ウエスト弾性要素
３０    後ウエスト部材
３１    両側縁
３２    第２端縁
３６    後ウエスト弾性要素
４０    吸液構造体
４１    芯材
４１ｃ  両側縁
４２    内側シート（被覆シート）
４４    外側シート（被覆シート）
７０    ガスケットカフ
７１    ガスケット弾性要素
７１ａ  一端
７１ｂ  他端
７５    第１折曲線
８０    漏れバリアカフ
８１    バリア弾性要素
８２    近位縁
８３    遠位縁
８５    第２折曲線
Ｘ    横方向
Ｙ    縦方向
Ｑ−Ｑ    仮想横中心線
【図１】
2011135930.tif 000003
【図２】
2011135930.tif 000004
【図３】
2011135930.tif 000005
【図４】
2011135930.tif 000006
【図５】
2011135930.tif 000007
【図６】
2011135930.tif 000008
【図７】
2011135930.tif 000009
【図８】
2011135930.tif 000010